(57)【要約】【課題】動作音の発生が抑制された調光装置を備えたプロジェクタを提供する。【解決手段】プロジェクタ１は、光源１１１と、光源１１１から射出された光を画像情報に応じて変調して画像を形成する光変調装置（液晶ライトバルブ１４０Ｒ，１４０Ｇ，１４０Ｂ）と、光変調装置で形成された画像を投写する投写光学系（投写レンズ２００）と、光源１１１から射出される光の光軸上に設置され、光の一部を遮光して光量を調節する調光装置１６と、を有し、調光装置１６は、通電によって形状が変化する導電性高分子アクチュエータを有し、導電性高分子アクチュエータの形状の変化によって遮光量を変化させて、光量を調節する。【選択図】図５
2009210765.tif 000002
【特許請求の範囲】
【請求項１】
光源と、
前記光源から射出された光を画像情報に応じて変調して画像を形成する光変調装置と、
前記光変調装置で形成された前記画像を投写する投写光学系と、
前記光源から射出される前記光の光軸上に設置され、前記光の一部を遮光して光量を調節する調光装置と、
を有し、
前記調光装置は、通電によって形状が変化する導電性高分子アクチュエータを有し、当該導電性高分子アクチュエータの形状の変化によって遮光量を変化させて、前記光量を調節することを特徴とするプロジェクタ。
【請求項２】
請求項１に記載のプロジェクタであって、
前記導電性高分子アクチュエータは、バイモルフ型の構造で、遮光性を有するとともに、略扇形に形成され、
前記調光装置は、略扇形の前記導電性高分子アクチュエータを前記光軸を略中心として円板状となるように複数配置して構成され、複数の前記導電性高分子アクチュエータを屈曲させて前記光軸周辺の遮光量を変化させることによって、前記光量を調節することを特徴とするプロジェクタ。
【請求項３】
請求項１に記載のプロジェクタであって、
前記導電性高分子アクチュエータは、バイモルフ型の構造で、遮光性を有するとともに、略矩形の板状に形成され、
前記調光装置は、略矩形の前記導電性高分子アクチュエータを前記光軸を挟んだ２列ののれん状となるように複数配置して構成され、複数の前記導電性高分子アクチュエータを屈曲させて前記光軸周辺の遮光量を変化させることによって、前記光量を調節することを特徴とするプロジェクタ。
【請求項４】
請求項１に記載のプロジェクタであって、
前記調光装置は、前記光の一部を遮光する遮光板をさらに有し、
前記導電性高分子アクチュエータは、形状の変化によって前記遮光板を可動させて遮光量を変化させ、前記光量を調節することを特徴とするプロジェクタ。
【発明の詳細な説明】
【技術分野】
【０００１】
本発明は、プロジェクタに関する。
【背景技術】
【０００２】
従来、画像信号に応じて光変調装置（液晶ライトバルブ）に入射させる光の量を変化させるために、絞り機構として遮光板を有し、その遮光板を回動させることにより光源からの光の光量を調節する調光装置を備えたプロジェクタが知られている（特許文献１参照）。このようなプロジェクタによれば、例えば、暗い場面では光量を少なくし、明るい場面では光量を多くすることで、ダイナミックレンジが広く映像表現力に優れた映像を投写することができる。
【０００３】
【特許文献１】特開２００４−３６２８２０号公報
【発明の開示】
【発明が解決しようとする課題】
【０００４】
しかしながら、このようなプロジェクタの調光装置では、遮光板を回動するためにモータやギヤ等の駆動部が必要となり、遮光板が回動する際にその駆動部から動作音が発生するため、映像を視聴している視聴者が不快に感じてしまう場合があった。したがって、動作音の発生が抑制された調光装置を備えたプロジェクタが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、光源と、前記光源から射出された光を画像情報に応じて変調して画像を形成する光変調装置と、前記光変調装置で形成された前記画像を投写する投写光学系と、前記光源から射出される前記光の光軸上に設置され、前記光の一部を遮光して光量を調節する調光装置と、を有し、前記調光装置は、通電によって形状が変化する導電性高分子アクチュエータを有し、当該導電性高分子アクチュエータの形状の変化によって遮光量を変化させて、前記光量を調節することを特徴とする。
【０００７】
このような構成によれば、プロジェクタは、導電性高分子アクチュエータを有して構成された調光装置を備えている。そして、導電性高分子アクチュエータの形状が変化することで、遮光量を変化させて光量を調節する。このように調光装置に導電性高分子アクチュエータを使用することによって、モータやギヤ等の駆動部を備えた従来の調光装置と比べて、動作音の発生を抑制することが可能となる。
【０００８】
［適用例２］上記適用例に係るプロジェクタにおいて、前記導電性高分子アクチュエータは、バイモルフ型の構造で、遮光性を有するとともに、略扇形に形成され、前記調光装置は、略扇形の前記導電性高分子アクチュエータを前記光軸を略中心として円板状となるように複数配置して構成され、複数の前記導電性高分子アクチュエータを屈曲させて前記光軸周辺の遮光量を変化させることによって、前記光量を調節することを特徴とする。
【０００９】
このような構成によれば、プロジェクタは、略扇形の形状をした導電性高分子アクチュエータが円板状に配置された調光装置を備えている。導電性高分子アクチュエータは、バイモルフ型の構造であり、屈曲させることで遮光量を変化させる。このように、調光装置は、光軸周辺の遮光面積を変化させて光源から射出される光の光量を調節するため、投写画像における輝度の分布を自然な分布にすることができる。
【００１０】
［適用例３］上記適用例に係るプロジェクタにおいて、前記導電性高分子アクチュエータは、バイモルフ型の構造で、遮光性を有するとともに、略矩形の板状に形成され、前記調光装置は、略矩形の前記導電性高分子アクチュエータを前記光軸を挟んだ２列ののれん状となるように複数配置して構成され、複数の前記導電性高分子アクチュエータを屈曲させて前記光軸周辺の遮光量を変化させることによって、前記光量を調節することを特徴とする。
【００１１】
このような構成によれば、プロジェクタは、略矩形の板状をした導電性高分子アクチュエータが２列ののれん状に配置された調光装置を備えている。導電性高分子アクチュエータは、バイモルフ型の構造であり、屈曲させることで遮光量を変化させる。このように、調光装置は、光軸周辺の遮光面積を変化させて光源から射出される光の光量を調節するため、投写画像における輝度の分布を自然な分布にすることができる。
【００１２】
［適用例４］上記適用例に係るプロジェクタにおいて、前記調光装置は、前記光の一部を遮光する遮光板をさらに有し、前記導電性高分子アクチュエータは、形状の変化によって前記遮光板を可動させて遮光量を変化させ、前記光量を調節することを特徴とする。
【００１３】
このような構成によれば、プロジェクタは、導電性高分子アクチュエータと遮光板とを有して構成された調光装置を備えている。そして、導電性高分子アクチュエータの形状が変化することによって、遮光板を可動させ、遮光量を変化させて光量を調節する。このように導電性高分子アクチュエータを用いて遮光板を動作させることによって、調光装置の動作音の発生を抑制することができる。
【発明を実施するための最良の形態】
【００１４】
以下、実施形態について説明する。
【００１５】
（第１の実施形態）
図１は、本実施形態に係るプロジェクタ１の画像投写部１０の概略構成を示す構成図であり、光源１１１から射出された光がスクリーンＳＣに至るまでの光路を示している。
図１に示すように、プロジェクタ１の画像投写部１０は、照明光学系１１０、色光分離光学系１２０、リレー光学系１３０、３つの平行化レンズ１２４，１２５，１３５、光変調装置としての３つの液晶ライトバルブ１４０Ｒ，１４０Ｇ，１４０Ｂ、色光合成光学系としてのクロスダイクロイックプリズム１５０、投写光学系としての投写レンズ２００等を備えている。
【００１６】
照明光学系１１０は、光源１１１と、第１のレンズアレイ１１２と、第２のレンズアレイ１１３と、偏光変換素子１１４と、重畳レンズ１１５と、調光装置１６とを有している。光源１１１は、超高圧水銀ランプやメタルハライドランプ等の放電型の光源ランプ１１１ａと、光源ランプ１１１ａが放射した光を略一方向に向けて反射するリフレクタ１１１ｂとを含んで構成されている。光源１１１から射出された光束は、微小なレンズがマトリクス状に配置された第１のレンズアレイ１１２によって多数の微小な部分光束に分割される。第２のレンズアレイ１１３および重畳レンズ１１５は、分割された部分光束のそれぞれが、照明対象である３つの液晶ライトバルブ１４０Ｒ，１４０Ｇ，１４０Ｂの画素領域全体を照射するように備えられている。このため、各部分光束が液晶ライトバルブ１４０Ｒ，１４０Ｇ，１４０Ｂ上で重畳され、液晶ライトバルブ１４０Ｒ，１４０Ｇ，１４０Ｂの画素領域全体が略均一に照明される。
【００１７】
偏光変換素子１１４は、光源１１１からの光を液晶ライトバルブ１４０Ｒ，１４０Ｇ，１４０Ｂで効率よく利用可能とするため、特定の偏光方向を有する偏光光に揃える機能を有している。照明光学系１１０を射出した偏光光は、色光分離光学系１２０に入射する。
【００１８】
調光装置１６は、導電性高分子アクチュエータを有して構成されており、導電性高分子アクチュエータの形状の変化によって遮光量を変化させ、光源１１１から射出される光の光量を調節する。調光装置１６は、第１のレンズアレイ１１２と第２のレンズアレイ１１３との間に配置されることによって、画素領域全体の明るさを変化させることが可能となる。なお、調光装置１６の詳細な説明は、後述する。
【００１９】
色光分離光学系１２０は、２つのダイクロイックミラー１２１，１２２と、反射ミラー１２３とを備えており、照明光学系１１０から射出された光を、波長域の異なる３色の光に分離する。ダイクロイックミラー１２１は、略赤色の光を反射するとともに、反射する光よりも短波長の光を透過する。ダイクロイックミラー１２１で反射した赤色光Ｒは、反射ミラー１２３で反射した後、平行化レンズ１２４で平行化されて赤色光用の液晶ライトバルブ１４０Ｒを照明する。
【００２０】
ダイクロイックミラー１２２は、略青色の光を透過するとともに、透過する光よりも長波長の光を反射する。このため、ダイクロイックミラー１２１で反射された光のうち、緑色光Ｇは、ダイクロイックミラー１２２で反射し、平行化レンズ１２５で平行化されて緑色光用の液晶ライトバルブ１４０Ｇを照明する。また、青色光Ｂは、ダイクロイックミラー１２２を透過し、リレー光学系１３０を経由した後、平行化レンズ１３５で平行化されて青色光用の液晶ライトバルブ１４０Ｂを照明する。
【００２１】
なお、本実施形態では、青色光Ｂの経路が他の色光の経路に比べて長くなってしまうことから、光束の発散によって液晶ライトバルブ１４０Ｂへの照明効率が低下するのを抑制するために、青色光Ｂの経路に、リレー光学系１３０が設けられている。リレー光学系１３０は、入射側レンズ１３１と、リレーレンズ１３３と、２つの反射ミラー１３２，１３４とを備えている。色光分離光学系１２０から射出された青色光Ｂは、入射側レンズ１３１によってリレーレンズ１３３の近傍で収束し、平行化レンズ１３５に向けて発散する。
【００２２】
液晶ライトバルブ１４０Ｒ，１４０Ｇ，１４０Ｂのそれぞれは、一対の透明基板間に液晶が封入された液晶パネル１４１と、その入射側および射出側にそれぞれ備わる入射側偏光板１４２および射出側偏光板１４３とによって構成されている。液晶パネル１４１には、マトリクス状に配列された複数の画素からなる画素領域が形成されており、液晶に対して画素毎に駆動電圧を印加可能になっている。入射側偏光板１４２および射出側偏光板１４３は、特定の偏光方向の偏光光のみを透過可能であり、入射側偏光板１４２は、偏光変換素子１１４によって揃えられた偏光方向の偏光光を透過可能となっている。このため、各液晶ライトバルブ１４０Ｒ，１４０Ｇ，１４０Ｂに照射された各色光の大部分は入射側偏光板１４２を透過して、液晶パネル１４１に入射する。
【００２３】
ここで、後述するライトバルブ駆動部２１０が、画像信号に応じた駆動電圧を液晶パネル１４１の各画素に印加すると、液晶パネル１４１に入射した光は、駆動電圧に応じて変調され、画素毎に異なる偏光方向を有した偏光光となる。この偏光光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像信号に応じて、画素毎に異なる透過率で入射光を透過させることによって、階調を有する画像光が色光毎に形成される。液晶ライトバルブ１４０Ｒ，１４０Ｇ，１４０Ｂから射出した各色光からなる画像光は、クロスダイクロイックプリズム１５０に入射する。
【００２４】
クロスダイクロイックプリズム１５０は、赤色光Ｒを反射する誘電体多層膜と青色光Ｂを反射する誘電体多層膜とが、４つの直角プリズムの界面に沿って略Ｘ字状に設けられたものであり、各液晶ライトバルブ１４０Ｒ，１４０Ｇ，１４０Ｂから射出された各色の画像光を、画素毎に合成してカラー画像を表す画像光を形成する。クロスダイクロイックプリズム１５０によって合成された画像光は、投写レンズ２００によってスクリーンＳＣ等に拡大投写される。
【００２５】
次に、調光装置１６について図２、図３、図４を用いて説明する。
図２は、調光装置１６の説明図である。同図（ａ）は、光軸方向から見た図であり、同図（ｂ）は、断面図であり、同図（ｃ）は、調光装置１６を構成する導電性高分子アクチュエータ素子１６１の説明図である。
図２（ｃ）は、導電性高分子アクチュエータ素子１６１を表している。導電性高分子アクチュエータ素子１６１は、遮光性を備え略扇形をしたバイモルフ型の導電性高分子アクチュエータ部１６１ａおよび電極部１６１ｂにより構成されている。
【００２６】
図２（ａ）に示すように、調光装置１６は、８つの導電性高分子アクチュエータ素子（１６１，１６２，１６３，１６４，１６５，１６６，１６７，１６８）を円板状に配置して構成され、中心部に開口部１６ｈが形成された形状をしている。調光装置１６は、この開口部１６ｈの略中心を光軸が通るように光路上に配置される。なお、調光装置１６の外周縁部は保持部材（図示せず）によって固定されている。一方、内周縁部は固定されておらず、変形可能としている。
【００２７】
図２（ｂ）は、導電性高分子アクチュエータ素子１６１，１６５の部分の断面を表している。このような形状によって、円板状に配置された導電性高分子アクチュエータ素子（１６１〜１６８）は、光源１１１から射出された光を遮光し、開口部１６ｈは光を通過させる。なお、導電性高分子アクチュエータ素子は８つに限定するものではない。
【００２８】
次に、導電性高分子アクチュエータ素子の動作について図３を用いて説明する。
図３は、導電性高分子アクチュエータ素子１６１の動作を説明するための断面図である。同図（ａ）は、導電性高分子アクチュエータ素子１６１が屈曲した状態を示す図であり、同図（ｂ）は、屈曲していない状態を示す図であり、同図（ｃ）は、逆方向に屈曲した状態を示す図である。
図３（ａ）、（ｂ）、（ｃ）に示すように、導電性高分子アクチュエータ素子１６１の導電性高分子アクチュエータ部１６１ａは、２つの板状の導電性高分子アクチュエータ１６１ａ１，１６１ａ２で絶縁基材Ｐを挟み込む構造（バイモルフ型）となっている。また、導電性高分子アクチュエータ１６１ａ１には電極部１６１ｂとしての電極１６１ｂ１が着接され、導電性高分子アクチュエータ１６１ａ２には電極部１６１ｂとしての電極１６１ｂ２が着接されている。
【００２９】
図３（ａ）のように、電源装置Ｂによって電極１６１ｂ１と電極１６１ｂ２との間に電圧を印加すると、マイナス側（図の左側）の導電性高分子アクチュエータ１６１ａ１は陰イオンを放出して短縮（収縮）し、プラス側（図の右側）の導電性高分子アクチュエータ１６１ａ２は陰イオンを取り込んで伸張する。これにより、図３（ａ）のように導電性高分子アクチュエータ素子１６１の内周縁側端部は、マイナス側（図の左側）に倒れるように屈曲する。このとき、電源装置Ｂが印加する電圧の大きさにより、導電性高分子アクチュエータ素子１６１の屈曲量を変化させることができる。
【００３０】
図３（ｃ）では、電極１６１ｂ１と電極１６１ｂ２との間に、図３（ａ）とは逆向きに電圧を印加している。即ち、図３（ａ）とは電圧極性を反転させた状態である。この場合、マイナス側（図の右側）の導電性高分子アクチュエータ１６１ａ２は陰イオンを放出して短縮し、プラス側（図の左側）の導電性高分子アクチュエータ１６１ａ１は陰イオンを取り込んで伸張する。これにより、図３（ｃ）のように導電性高分子アクチュエータ素子１６１はマイナス側（図の右側）に屈曲する。このときも、電源装置Ｂが印加する電圧の大きさにより、導電性高分子アクチュエータ素子１６１の屈曲量を変化させることができる。
【００３１】
また、図３（ｂ）のように、電極１６１ｂ１と電極１６１ｂ２との間に電圧を印加しない場合、導電性高分子アクチュエータ１６１ａ１および導電性高分子アクチュエータ１６１ａ２は伸縮しないため、導電性高分子アクチュエータ素子１６１は屈曲しない。
このように、全ての（８つの）導電性高分子アクチュエータ素子（１６１〜１６８）の電極に対して同時に電圧を印加して、導電性高分子アクチュエータを屈曲させることにより、開口部１６ｈを拡大させることができる。
【００３２】
図４は、調光装置１６の開口部１６ｈが拡大した場合の説明図である。同図（ａ）は、光軸方向から見た図であり、同図（ｂ）および（ｃ）は、断面図である。
図４（ａ）に示すように、調光装置１６の中心側の開口部１６ｈは、図２（ａ）と比較して拡大している。このとき、導電性高分子アクチュエータ素子（１６１〜１６８）は、図４（ｂ）の断面図に示すように屈曲した状態となっている。この状態は、即ち、図３で説明した、電極に電圧を印加することによって導電性高分子アクチュエータ素子を屈曲させた状態である。このように開口部１６ｈが拡大することによって、調光装置１６は、通過する光の光量を増大させることができる。また、調光装置１６は、導電性高分子アクチュエータ素子（１６１〜１６８）の電極に印加する電圧を変化させることによって、導電性高分子アクチュエータ素子（１６１〜１６８）の屈曲量を調節し、通過する光量を調節することができる。
【００３３】
図４（ｃ）の断面図では、導電性高分子アクチュエータ素子１６１，１６５は、図４（ｂ）と逆方向に屈曲した状態となっている。これも、図３で説明したように、導電性高分子アクチュエータ素子１６１，１６５の電極に、電圧を逆向きに印加して屈曲させた状態であり、開口部１６ｈは拡大している。この場合も、電極に印加する電圧を変化させることによって、導電性高分子アクチュエータ素子（１６１〜１６８）の屈曲量を調節し、光量を調節することができる。
このように、調光装置１６は、導電性高分子アクチュエータ素子（１６１〜１６８）の屈曲させる方向を変化させながら、開口部１６ｈを拡大させたり縮小させたりすることができる。
【００３４】
次に、プロジェクタ１の構成について説明する。
図５は、第１の実施形態に係るプロジェクタ１の概略構成を示すブロック図である。
図５に示すように、プロジェクタ１は、画像投写部１０、制御部２０、入力操作部２１、光源制御部２２、画像信号入力部３１、画像処理部３２、画像解析部３４、調光装置駆動部３５等を備えている。プロジェクタ１は、図示しない画像供給装置から供給される画像信号に応じた画像を画像投写部１０によって投写する。
【００３５】
画像投写部１０では、図１で説明したような光路によって、画像光は、投写レンズ２００によってスクリーンＳＣ等に拡大投写される。調光装置１６は、図２、図３、図４で説明したように、光源１１１から射出される光の光量を調節する。
【００３６】
制御部２０は、ＣＰＵ（Central Processing Unit）や、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００３７】
入力操作部２１は、プロジェクタ１に対して各種指示を行うための複数のキー等を備えている。入力操作部２１が備えるキーとしては、電源のオン／オフを行うための「電源キー」や、入力ソースを切り換えるための「入力ソース切換キー」、各種設定を行うためのメニュー画面の表示／非表示を切り換える「メニューキー」、メニュー画像におけるカーソルの移動等に用いられる「カーソルキー」、各種設定を決定するための「決定キー」等がある。ユーザが入力操作部２１を操作すると、入力操作部２１は、ユーザの操作内容に応じた操作信号を制御部２０に出力する。なお、入力操作部２１は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部２０に伝達する。
【００３８】
光源制御部２２は、制御部２０の指示に基づいて、光源１１１に対する電力の供給と停止とを制御し、光源１１１の点灯および消灯を切り換える。
【００３９】
画像信号入力部３１には、パーソナルコンピュータやビデオ再生装置等、外部の画像供給装置（図示せず）とケーブルを介した接続を行うための各種の画像入力端子が備えられており、画像供給装置から画像信号が入力される。画像信号入力部３１は、入力される画像信号を、画像処理部３２で処理可能な形式の画像データに変換して、画像処理部３２および画像解析部３４に出力する。
【００４０】
画像処理部３２は、制御部２０の指示に基づいて、画像信号入力部３１から入力される画像データに対して、明るさ、コントラスト、シャープネス、色合い等の調整や、ガンマ補正等の各種画質調整を施す。さらに、画像処理部３２では、必要に応じてＯＳＤ（オンスクリーンディスプレイ）画像を画像データに重畳する処理を行う。また、画像処理部３２は、画像解析部３４から画像制御信号を入力して、画像データの階調情報の階調範囲を伸張する。画像処理部３２は、このような調整および処理を行った画像データをライトバルブ駆動部２１０に出力する。
【００４１】
ライトバルブ駆動部２１０は、入力される画像データに従って液晶ライトバルブ１４０Ｒ，１４０Ｇ，１４０Ｂを駆動する。この結果、画像データに基づいた画像が画像投写部１０からスクリーンＳＣに投写される。
【００４２】
画像解析部３４は、制御部２０の指示に基づいて、画像信号入力部３１から入力される画像データを解析し、調光装置１６を制御するための調光制御信号を生成して調光装置駆動部３５に出力する。また、調光制御信号に基づいて画像データの階調情報の階調範囲を伸張するための画像制御信号を生成して、画像処理部３２に出力する。
【００４３】
ここで、プロジェクタ１の調光装置１６を制御するための調光制御方法について説明する。調光制御方法としては、［１］表示映像適応型の制御、［２］投写拡大率による制御、［３］外部からの制御、等が考えられる。以下にそれぞれの方法について説明する。
【００４４】
（［１］表示映像適応型の制御）
表示映像適応型の制御とは、明るい映像シーンでは光量が多くなり、暗いシーンでは光量が少なくなるような、表示映像に適応した明るさの制御である。画像解析部３４では画像信号に基づいて調光制御信号が生成されるが、調光制御信号の生成方法には、例えば次の３通りが考えられる。
【００４５】
（Ａ）注目しているフレーム（画面）に含まれている画素データのうち、明るさが最大の階調数を調光制御信号とする方法。
この方法によれば、入力される画像信号に対し、最も忠実に明るさを表現することができる。
【００４６】
（Ｂ）注目しているフレームに含まれている階調数毎の出現数分布（ヒストグラム）より、最大の明るさから出現数について一定の割合（例えば１０％）となる階調数を調光制御信号とする方法。
この方法によれば、画面全体の中で情報として意味を持つ領域によって判定することができる。なお、上記の割合は２〜５０％程度の範囲で変化させてもよい。
【００４７】
（Ｃ）画面を複数のブロックに分割して、ブロック毎に含まれている画素の階調数の平均値を求め、最大のものを調光制御信号とする方法。
この方法によれば、画面全体の雰囲気を損なうことなく、明るさを制御することができる。
【００４８】
調光制御信号の生成の際に、上記（Ａ）〜（Ｃ）の方法を表示領域全体に対して適用する他に、例えば、表示領域の中央部分等、特定の部分だけに上記方法を適用することも可能である。この場合、視聴者が注目している部分から明るさを決定するような制御の仕方が可能となる。
【００４９】
次に、画像解析部３４は、上記の生成方法で生成した調光制御信号に基づいて調光装置駆動部３５を制御するが、この調光装置駆動部３５の制御方法は、例えば、次の３つの方法およびその組み合わせが考えられる。
【００５０】
（Ａ）出力された調光制御信号に応じてリアルタイムで制御する方法。
この場合は、画像解析部３４から出力された調光制御信号をそのまま調光装置駆動部３５に供給すればよいため、その他の信号処理は不要となる。この方法は映像の明るさに完全に追従する点で理想的であるが、映像の内容によっては画面の明暗が短い周期で変化することもあり、鑑賞時に視聴者がストレスを感じる等の問題が発生する恐れがある。
【００５１】
（Ｂ）出力された調光制御信号にＬＰＦ（ローパスフィルター）をかけ、その出力で制御する方法。
例えば、ＬＰＦによって１〜３０秒以下の調光制御信号の変化分をカットし、その出力によって制御する。この方法によれば、細かい時間の変化分はカットされるため、上述したような短い周期での明暗の変化を避けることができる。
【００５２】
（Ｃ）調光制御信号に所定の大きさ以上（例えば６０階調以上）の変化があった場合にのみ調光装置１６を制御する方法。
この方法によれば、シーンの切り換わり等のみに応じた制御を行うことができる。
【００５３】
上述のような制御方法を行うことで、次のように調光装置１６を駆動することができる。例えば、０〜２５５の２５６ステップの階調数を含む画像データを想定すると、階調数「１９０」が調光制御信号として出力された場合、最大明るさ（階調数２５５）の光量を１００％とすると、１９０／２５５＝７５％の光量が得られるように調光装置１６を駆動する。本実施形態の場合、調光装置１６の遮光手段は導電性高分子アクチュエータ素子（１６１〜１６８）であるから、光の通過率が７５％（遮光率が２５％）となるように導電性高分子アクチュエータ素子（１６１〜１６８）を屈曲させる。
【００５４】
一方、画像処理部３２では、画像データおよび画像解析部３４で生成された画像制御信号に基づいて、この画像データの階調情報を適当な階調範囲まで伸張する。例えば、最大階調範囲にまで伸張する場合、最大階調数が２５５であるから、調光制御信号が階調数１９０の場合、階調数０〜１９０までの画像データを階調数０〜２５５まで伸張する。
このように、調光装置１６による光量の制御、および、画像データの伸張処理によって、映像のダイナミックレンジを拡張しつつ、滑らかな階調表現を実現することができる。
【００５５】
（［２］投写拡大率による制御）
投写拡大率による制御とは、投写レンズ２００のズーミングに対応させた制御である。通常は液晶ライトバルブ（被照明領域）における単位面積あたりの光量が一定であるから、拡大側では画面が暗くなり、縮小側で明るくなる傾向にある。したがって、これを補正するように、拡大側に変化させた場合には光量が増えるように、縮小側に変化させた場合には光量が減るように調光装置１６を制御する。
【００５６】
（［３］外部からの制御）
外部からの制御とは、ユーザが好みに応じて調光装置１６を制御するものである。例えば暗い鑑賞環境においては光量が少なく、明るい鑑賞環境においては光量が多くなるように調光装置１６を制御する。この場合、ユーザが入力操作部２１を操作して調節する構成としてもよいし、明るさセンサ等を設けて自動的に制御される構成としてもよい。
【００５７】
図５に戻り、調光装置駆動部３５は、画像解析部３４から上述した調光制御信号を入力し、調光装置１６の駆動信号を生成して調光装置１６に出力する。
【００５８】
ここで、調光装置駆動部３５について説明する。
図６は、調光装置駆動部３５の内部構成を表した説明図である。
図６に示すように、調光装置駆動部３５は、レベル演算部３５１、ＤＡコンバータ３５２、レベルシフタ３５３等を備えており、調光装置駆動信号ＡＣＣ１を出力する。
【００５９】
レベル演算部３５１は、画像解析部３４から調光制御信号を入力する。レベル演算部３５１は、調光制御信号に基づいて調光装置１６を駆動する（導電性高分子アクチュエータ素子（１６１〜１６８）を屈曲させる）ための制御値を算出する。そして、レベル演算部３５１は、算出した制御値をＤＡコンバータ３５２に出力する。このとき、レベル演算部３５１は、所定の時間（例えば２秒）毎に、調光装置駆動信号ＡＣＣ１の電圧極性を反転させるように制御値を処理して出力する。これにより、導電性高分子アクチュエータ素子（１６１〜１６８）の電極に印加される電圧極性は反転し、反転する毎に導電性高分子アクチュエータ素子（１６１〜１６８）の屈曲する方向が変化する。なお、極性を反転させるタイミングは、画像信号の垂直ブランキング期間に行う。
【００６０】
ＤＡコンバータ３５２は、レベル演算部３５１から入力した制御値をＤＡ（デジタル−アナログ）変換を行って電圧値として、レベルシフタ３５３に出力する。
【００６１】
レベルシフタ３５３は、ＤＡコンバータ３５２から入力した電圧値を調光装置１６の導電性高分子アクチュエータ素子（１６１〜１６８）を駆動するのに適した電圧に変換して、調光装置駆動信号ＡＣＣ１として、調光装置１６に出力する。
【００６２】
図５に戻り、調光装置１６は、調光装置駆動部３５から出力された調光装置駆動信号ＡＣＣ１により駆動され、その電圧に基づいて導電性高分子アクチュエータ素子（１６１〜１６８）は屈曲し、光源１１１から射出される光の光量を調節する。
【００６３】
次に、本実施形態のプロジェクタ１の動作について説明する。
プロジェクタ１に外部からＡＣ１００Ｖ等の商用電源が供給されると、電源回路（図示せず）は、制御部２０、入力操作部２１等に電力（スタンバイ電力）の供給を行う。制御部２０は、この電力供給を受けて、制御プログラムに従った動作を開始する。商用電源が供給された直後には、プロジェクタ１は、スタンバイ状態であり、この状態では、制御部２０は、入力操作部２１の電源キーに対する操作（オン操作）を監視する。そして、このオン操作を検知すると、制御部２０は、電源回路に指示をして画像の投写等に必要なメイン電力の供給を開始させ、プロジェクタ１をオン状態とするとともに、光源１１１を点灯させる等の必要な初期動作を行う。この結果、プロジェクタ１に入力された画像信号に応じた画像が画像投写部１０から投写される。
【００６４】
例えば、映画等の映像の画像信号を入力し、上述したようにプロジェクタ１の投写を開始したときに、プロジェクタ１は、画像解析部３４によって画像データを解析し、その画像に応じて調光制御信号を生成して調光装置１６を駆動し、光源１１１から射出される光の光量を調節する。
【００６５】
上述した実施形態によれば、以下の効果が得られる。
（１）プロジェクタ１は、導電性高分子アクチュエータ素子（１６１〜１６８）を有して構成された調光装置１６を備えている。そして、光源１１１から射出される光の光量を調節する。これにより、ダイナミックレンジが広く映像表現力に優れた映像の投写を可能にすることができる。
【００６６】
（２）プロジェクタ１は、画像データを解析して、画像データの階調情報の階調範囲を伸張する。これにより、映像のダイナミックレンジを拡張しつつ、滑らかな階調表現を実現することができる。
【００６７】
（３）プロジェクタ１の調光装置１６は、導電性高分子アクチュエータ（１６１ａ１，１６１ａ２）を有して構成されており、モータやギヤ等の駆動部（摺動部）がない構成となっている。これにより、駆動部からの動作音の発生を抑制することができる。また、モータやギヤ等の駆動部がないため、調光装置として小型化することが可能である。さらに、駆動部がないため、故障の発生を低減することができる。また、モータ等を必要としないため、複雑な制御を必要とせず、ソフトウェアによる制御が容易になる。
【００６８】
（４）プロジェクタ１は、略扇形の形状をした導電性高分子アクチュエータ素子（１６１〜１６８）が円板状に配置された調光装置１６を備えている。調光装置１６は、導電性高分子アクチュエータ素子（１６１〜１６８）を屈曲させることで光軸周辺の遮光量を変化させる。このように、調光装置１６は、光軸周辺の遮光面積を変化させて光源１１１から射出される光の光量を調節するため、投写画像における輝度の分布を自然な分布にすることができる。
【００６９】
（５）プロジェクタ１の導電性高分子アクチュエータ素子（１６１〜１６８）は、バイモルフ型の構造としている。これにより、高速に駆動することが可能となり、調光装置１６の動作速度が向上し、画像信号に対する追従性が向上する。
【００７０】
（６）プロジェクタ１の導電性高分子アクチュエータ素子（１６１〜１６８）は、所定の時間毎に、電極の極性反転を行うことで、屈曲する方向が変化する。これにより、導電性高分子アクチュエータの分子構造の特性の劣化を抑制することができる。
【００７１】
（７）プロジェクタ１は、画像信号の垂直ブランキング期間に、導電性高分子アクチュエータ素子（１６１〜１６８）の電極の極性反転を行うことで、投写画像への影響（例えば、ちらつき等）を低減することができる。
【００７２】
（第２の実施形態）
以下、第２の実施形態について説明する。
【００７３】
本実施形態に係るプロジェクタは、第１の実施形態に係るプロジェクタとは、調光装置の形状が異なる。その他の構成等は第１の実施形態と同様である。
【００７４】
本実施形態の調光装置ついて図７および図８を用いて説明する。
図７は、第２の実施形態に係る調光装置１７の説明図である。同図（ａ）は、光軸方向から見た図であり、同図（ｂ）は、断面図であり、同図（ｃ）は、調光装置１７を構成する導電性高分子アクチュエータ素子１７１の説明図である。
【００７５】
図７（ｃ）は、導電性高分子アクチュエータ素子１７１を表している。導電性高分子アクチュエータ素子１７１は、遮光性を備え略矩形状をしたバイモルフ型の導電性高分子アクチュエータ部１７１ａおよび電極部１７１ｂにより構成されている。
【００７６】
図７（ａ）に示すように、調光装置１７は、上部に８つの導電性高分子アクチュエータ素子（１７１，１７２，１７３，１７４，１７５，１７６，１７７，１７８）をのれん状に配置し、下部にも８つの略矩形状のバイモルフ型の導電性高分子アクチュエータ素子（１７９，１７Ａ，１７Ｂ，１７Ｃ，１７Ｄ，１７Ｅ，１７Ｆ，１７Ｇ）を上部と逆向きにのれん状に配置して構成されている。そして、上部と下部の中間部には開口部１７ｈが形成されており、調光装置１７は、光軸が開口部１７ｈの略中心を貫通するように配置される。
【００７７】
図７（ｂ）は、調光装置１７の断面図であり、導電性高分子アクチュエータ素子１７１，１７９の部分の断面図を表している。このような形状によって、調光装置１７ののれん状の部分は光源１１１から射出された光を遮光し、開口部１７ｈは光源１１１からの光を通過させる。なお、導電性高分子アクチュエータ素子は上部８つ、下部８つに限定するものではない。
【００７８】
ここで、導電性高分子アクチュエータ素子（１７１〜１７Ｇ）は、第１の実施形態の導電性高分子アクチュエータ素子（１６１〜１６８）と同様に、電極に電圧を印加することによって屈曲し、開口部１７ｈが拡大する。
【００７９】
図８は、調光装置１７の開口部１７ｈが拡大した場合の説明図である。同図（ａ）は、光軸方向から見た図であり、同図（ｂ）および（ｃ）は、断面図である。
図８（ａ）に示すように、調光装置１７は、上部と下部の中間である開口部１７ｈが図７（ａ）と比較して拡大している。このとき、導電性高分子アクチュエータ素子（１７１〜１７Ｇ）は、図８（ｂ）の断面図に示すように屈曲した状態となっている。このように開口部１７ｈが拡大することによって、調光装置１７を通過する光の光量を増大させることができる。また、調光装置１７は、導電性高分子アクチュエータ素子（１７１〜１７Ｇ）の電極に印加する電圧を変化させることによって、導電性高分子アクチュエータ素子（１７１〜１７Ｇ）の屈曲量を調節し、光量を調節することができる。
【００８０】
図８（ｃ）の断面図では、導電性高分子アクチュエータ素子（１７１〜１７Ｇ）が、図８（ｂ）と逆方向に屈曲した状態を表している。これは、電圧を逆向きに印加して屈曲させた状態であり、開口部１７ｈは拡大している。この場合も、電極に印加する電圧を変化させることによって、導電性高分子アクチュエータ素子（１７１〜１７Ｇ）の屈曲量を調節し、光量を調節することができる。
このように、調光装置１７は、導電性高分子アクチュエータ素子（１７１〜１７Ｇ）の屈曲させる方向を変化させながら、開口部１７ｈを拡大させたり縮小させたりすることができる。
【００８１】
上述した第２の実施形態によれば、第１の実施形態での効果（１）、（２）、（３）、（５）、（６）、（７）と同様の効果を奏することができる。他に、以下の効果が得られる。
【００８２】
（１）プロジェクタは、のれん状をした導電性高分子アクチュエータ素子（１７１〜１７Ｇ）が上部および下部に配置された調光装置１７を備えている。調光装置１７は、導電性高分子アクチュエータ素子（１７１〜１７Ｇ）を屈曲させることで中央部の遮光量を変化させる。このように、調光装置は、光軸周辺の遮光面積を変化させて光源１１１から射出される光の光量を調節するため、投写画像における輝度の分布を自然な分布にすることができる。
【００８３】
（第３の実施形態）
以下、第３の実施形態について説明する。
【００８４】
本実施形態に係るプロジェクタは、第１の実施形態および第２の実施形態に係るプロジェクタと、調光装置の構成および形状が異なる。また、調光装置駆動部の内部構成が第１の実施形態および第２の実施形態と異なる。その他の構成等は第１の実施形態および第２の実施形態と同様である。
【００８５】
まず、本実施形態の調光装置について図９を用いて説明する。
図９は、第３の実施形態に係る調光装置１８の説明図である。同図（ａ）は、調光装置１８を上面から見た図であり、同図（ｂ）は、調光装置１８を構成する遮光板を光軸方向から見た図である。
図９（ａ）に示すように、調光装置１８は、２つの導電性高分子アクチュエータ１８１，１８２と、２つの遮光板１８１ｐ，１８２ｐを有して構成されている。２つの導電性高分子アクチュエータ１８１，１８２は、それぞれの一端がプロジェクタの筐体内部の所定の部位Ｄに固定されており、それぞれの他端には、遮光板１８１ｐ，１８２ｐが取り付けられている。なお、遮光板１８１ｐと遮光板１８２ｐとは所定の間隔を隔てて平行に配置されている。
【００８６】
図９（ｂ）に示すように、２つの遮光板１８１ｐ，１８２ｐは、遮光性を備えた略矩形の板であり、その中央には左右対称で楕円状の開口部１８１ｈ，１８２ｈがそれぞれ形成されている。開口部１８１ｈ，１８２ｈは、光源１１１からの光を通過させるものであり、調光装置１８は、遮光板１８１ｐ，１８２ｐが光軸に直交するように配置される。なお、開口部１８１ｈ，１８２ｈは、楕円に限定するものではない。
【００８７】
導電性高分子アクチュエータ１８１および導電性高分子アクチュエータ１８２は、バイモルフ型ではなく、電圧の印加によって伸縮する伸縮デバイス型とする。そして、その伸縮量は、電圧値によって定まる。導電性高分子アクチュエータ１８１および導電性高分子アクチュエータ１８２は、それぞれ、調光装置駆動信号ＡＣＣ１および調光装置駆動信号ＡＣＣ２により駆動され、左右方向（図９（ａ）の矢印方向）に伸縮する。ここで、調光装置駆動信号の電圧値がプラスの場合、導電性高分子アクチュエータは伸張し、調光装置駆動信号の電圧値がマイナスの場合、導電性高分子アクチュエータは短縮する。このような導電性高分子アクチュエータ１８１，１８２の伸縮によって、遮光板１８１ｐおよび遮光板１８２ｐは、互いに平行を保った状態で左右方向に移動する。
【００８８】
ここで、調光装置１８は、導電性高分子アクチュエータ１８１を伸張するときには導電性高分子アクチュエータ１８２を短縮し、逆に、導電性高分子アクチュエータ１８１を短縮するときには導電性高分子アクチュエータ１８２を伸張するように、調光装置駆動信号ＡＣＣ１および調光装置駆動信号ＡＣＣ２によって駆動される。これにより、調光装置１８は、２つの遮光板１８１ｐ，１８２ｐの開口部１８１ｈ，１８２ｈの位置をずらしたり合わせたりして、光源１１１から射出される光の光量を調節することができる。
【００８９】
次に、調光装置駆動部について説明する。
図１０は、第３の実施形態に係る調光装置駆動部３５ａの内部構成を表した説明図である。
図１０に示すように、調光装置駆動部３５ａは、レベル演算部３５５、ＤＡコンバータ３５２、レベルシフタ３５３、レベルシフタ３５４等を備えており、調光装置駆動信号ＡＣＣ１および調光装置駆動信号ＡＣＣ２を出力する。
【００９０】
レベル演算部３５５は、調光制御信号に基づいて調光装置１８の導電性高分子アクチュエータ１８１，１８２を伸縮させる制御値を算出する。そして、レベル演算部３５５は、算出した制御値をＤＡコンバータ３５２に出力する。このとき、レベル演算部３５５は、所定の時間（例えば２秒）毎に、調光装置駆動信号ＡＣＣ１および調光装置駆動信号ＡＣＣ２の極性を反転させるように制御値を処理して出力する。これにより、導電性高分子アクチュエータ１８１，１８２の電極に印加される電圧極性は反転し、反転する毎に導電性高分子アクチュエータ１８１，１８２は、伸張していた場合は短縮し、短縮していた場合は伸張する。なお、極性を反転させるタイミングは、画像信号の垂直ブランキング期間に行う。
【００９１】
ＤＡコンバータ３５２は、第１の実施形態と同様に、レベル演算部３５５から入力した制御値をＤＡ（デジタル−アナログ）変換を行って電圧値として、レベルシフタ３５３およびレベルシフタ３５４に出力する。
【００９２】
レベルシフタ３５３は、ＤＡコンバータ３５２から入力した電圧値を導電性高分子アクチュエータ１８１を駆動するのに適した電圧に変換して、調光装置駆動信号ＡＣＣ１として、調光装置１８に出力する。また、レベルシフタ３５４は、ＤＡコンバータ３５２から入力した電圧値を導電性高分子アクチュエータ１８２を駆動するのに適した電圧に変換するとともに、電圧極性を反転して、調光装置駆動信号ＡＣＣ２として、調光装置１８に出力する。このように、調光装置駆動信号ＡＣＣ１とＡＣＣ２とは、電圧極性が反転した関係となる。
【００９３】
次に、調光装置駆動信号ＡＣＣ１，ＡＣＣ２による調光装置１８の駆動と、その動作について説明する。
図１１は、調光装置駆動信号の波形図である。
図１１の波形図では、横軸は時間軸とし、縦軸は電圧軸を表している。調光装置駆動信号ＡＣＣ１，ＡＣＣ２は、見やすくするために、別のグラフとして記載しているが、時間軸および電圧軸は同期している。
【００９４】
時間Ｔ０において、調光装置駆動信号ＡＣＣ１および調光装置駆動信号ＡＣＣ２は「０Ｖ（ボルト）」となっている。このとき、導電性高分子アクチュエータ１８１および導電性高分子アクチュエータ１８２は同じ長さとなるため、遮光板１８１ｐおよび遮光板１８２ｐは光軸方向から見て重なった状態となり、開口部１８１ｈおよび開口部１８２ｈも重なることで、遮光量は最小となり、調光装置１８を通過する光量は最大となる。
【００９５】
時間Ｔ０からＴ１へと時間が経過するとともに、調光装置駆動信号ＡＣＣ１は電圧がプラス側に上昇することで、導電性高分子アクチュエータ１８１は徐々に伸張する。また、調光装置駆動信号ＡＣＣ２は電圧がマイナス側に下降することで、導電性高分子アクチュエータ１８２は徐々に短縮する。これにより、開口部１８１ｈと開口部１８２ｈとは徐々にずれていき、遮光量は徐々に大きくなる。
【００９６】
時間Ｔ１において、レベル演算部３５５によって電圧極性が反転されているため、調光装置駆動信号ＡＣＣ１は、プラスからマイナスに電圧が変化し、調光装置駆動信号ＡＣＣ２は、マイナスからプラスに電圧が変化する。しかし、電位差は変化せず、導電性高分子アクチュエータ１８１，１８２の位置関係も、左右の位置が入れ替わるだけで、遮光量の変化はない。
【００９７】
時間Ｔ１からＴ２へと時間が経過するとともに、調光装置駆動信号ＡＣＣ１は電圧が下降することで、導電性高分子アクチュエータ１８１は徐々に短縮する。また、調光装置駆動信号ＡＣＣ２は電圧が上昇することで、導電性高分子アクチュエータ１８２は徐々に伸張する。これにより、開口部１８１ｈと開口部１８２ｈとは徐々にずれていき、遮光量は徐々に大きくなる。
【００９８】
時間Ｔ２において、調光装置駆動信号ＡＣＣ１は「−ＣＶ」、ＡＣＣ２は「＋ＣＶ」となっている。このとき、導電性高分子アクチュエータ１８１は最も短縮された状態となり、導電性高分子アクチュエータ１８２は最も伸張された状態となっている。これにより、遮光板１８１ｐと遮光板１８２ｐとは最もずれた状態となり、開口部１８１ｈおよび開口部１８２ｈも最もずれることで、遮光量は最大となり、調光装置１８を通過する光量は最小となる。
【００９９】
時間Ｔ２からＴ３へと時間が経過するとともに、調光装置駆動信号ＡＣＣ１は電圧が上昇することで、導電性高分子アクチュエータ１８１は徐々に伸張する。また、調光装置駆動信号ＡＣＣ２は電圧が下降することで、導電性高分子アクチュエータ１８２は徐々に短縮する。これにより、開口部１８１ｈと開口部１８２ｈとは徐々に重なっていき、遮光量は徐々に小さくなる。
【０１００】
時間Ｔ３において、調光装置駆動信号ＡＣＣ１および調光装置駆動信号ＡＣＣ２は「０Ｖ」となっている。これにより、遮光量は最小となり、調光装置１８を通過する光量は最大となる。また、時間Ｔ４において、レベル演算部３５５によって電圧極性が反転されているが、調光装置駆動信号ＡＣＣ１，ＡＣＣ２は「０Ｖ」となっているため、電圧に変化はなく、遮光量は最小のままである。
【０１０１】
時間Ｔ５において、調光装置駆動信号ＡＣＣ１は「＋ＣＶ」、ＡＣＣ２は「−ＣＶ」となっている。このとき、導電性高分子アクチュエータ１８１は最も伸張された状態となっており、導電性高分子アクチュエータ１８２は最も短縮された状態となっている。これにより、遮光板１８１ｐと遮光板１８２ｐとは最もずれた状態となり、開口部１８１ｈおよび開口部１８２ｈも最もずれることで、遮光量は最大となり、調光装置１８を通過する光量は最小となる。
【０１０２】
時間Ｔ６において、レベル演算部３５５によって電圧極性が反転されているが、電位差は変化せず、遮光量の変化はない。
【０１０３】
このように、調光装置駆動信号ＡＣＣ１，ＡＣＣ２により導電性高分子アクチュエータ１８１および導電性高分子アクチュエータ１８２を駆動し、遮光板１８１ｐおよび遮光板１８２ｐを動作させて、調光装置１８は光源１１１から射出される光の光量を調節する。
【０１０４】
上述した第３の実施形態によれば、第１の実施形態での効果（２）、（３）、（７）と同様の効果を奏することができる。他に、以下の効果が得られる。
【０１０５】
（１）プロジェクタは、導電性高分子アクチュエータ１８１，１８２および遮光板１８１ｐ，１８２ｐを有して構成された調光装置１８を備えている。そして、導電性高分子アクチュエータ１８１，１８２の形状が変化することで、遮光板１８１ｐ，１８２ｐが可動し、遮光量を変化させて光源１１１から射出される光の光量を調節する。これにより、ダイナミックレンジが広く映像表現力に優れた映像の投写を可能にすることができる。
【０１０６】
（２）プロジェクタの調光装置１８は、遮光板１８１ｐ，１８２ｐを用いて光源１１１からの光を遮光している。これにより、遮光板を使用しない場合と比較して遮光性を向上することができる。
【０１０７】
（３）プロジェクタの調光装置１８の遮光板１８１ｐ，１８２ｐは、中央に楕円状の開口部１８１ｈ，１８２ｈが形成されている。調光装置１８は、導電性高分子アクチュエータ１８１，１８２を伸縮させることで中央部の遮光量を変化させる。このように、調光装置１８は、光軸周辺の遮光面積を変化させて光源１１１から射出される光の光量を調節するため、投写画像における輝度の分布を自然な分布にすることができる。
【０１０８】
（４）プロジェクタの導電性高分子アクチュエータ１８１，１８２は、所定の時間毎に、電圧極性が反転される。これにより、導電性高分子アクチュエータの分子構造の特性の劣化を抑制することができる。
【０１０９】
なお、上述した実施形態に限定されず、種々の変更や改良等を加えて実施することが可能である。変形例を以下に述べる。
【０１１０】
（変形例１）上記第１の実施形態では、略扇形の導電性高分子アクチュエータ素子を円板状となるように配置するものとしたが、導電性高分子アクチュエータ素子（１６１〜１６８）は略扇形以外の形状としてもよい。また、導電性高分子アクチュエータ素子（１６１〜１６８）の配置方法は円板状以外としてもよい。
【０１１１】
（変形例２）上記第２の実施形態では、導電性高分子アクチュエータ素子（１７１〜１７Ｇ）を２列ののれん状となるように配置するものとしたが、１列や、３列以上の複数列ののれん状に配置してもよい。
【０１１２】
（変形例３）上記第２の実施形態では、のれん状の導電性高分子アクチュエータ素子（１７１〜１７Ｇ）を光軸方向から見て上部と下部に設置するものとしたが、これに限定するものではない。例えば、左部と右部に設置するものとしてもよい。
【０１１３】
（変形例４）上記第１の実施形態および第２の実施形態では、電極の極性反転することで導電性高分子アクチュエータ素子を２方向に屈曲させていたが、１方向のみに屈曲させるものとしてもよい。こうすれば、極性反転の制御が不要になり、ソフトウェアによる制御が容易になる。
【０１１４】
（変形例５）上記第３の実施形態では、遮光板１８１ｐ，１８２ｐには、開口部１８１ｈ，１８２ｈを形成するものとしたが、開口部を形成しない構成としてもよい。例えば、調光装置１８は、光源１１１からの光の一部を遮光する遮光板を１つまたは複数備え、遮光板の外側や、複数の遮光板の間を、光源１１１からの光が通過されるものとする。そして、その遮光板を導電性高分子アクチュエータによって可動させることで、光量を調節するものとしてもよい。
【０１１５】
（変形例６）上記第３の実施形態では、電極の極性反転をすることで２つの導電性高分子アクチュエータ１８１，１８２の伸縮量を変化させ、遮光板１８１ｐ，１８２ｐの位置を変化させていたが、極性反転を行わないものとしてもよい。こうすれば、極性反転の制御が不要になり、ソフトウェアによる制御が容易になる。
【０１１６】
（変形例７）上記実施形態では、光変調装置として、透過型の液晶ライトバルブ１４０Ｒ，１４０Ｇ，１４０Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１１７】
（変形例８）上記実施形態では、プロジェクタを例にして説明しているが、透過型のスクリーンを一体的に備えたリアプロジェクタ等に適用することも可能である。
【図面の簡単な説明】
【０１１８】
【図１】第１の実施形態のプロジェクタの画像投写部の概略構成を示す構成図。
【図２】調光装置の説明図であり、（ａ）は、光軸方向から見た図、（ｂ）は、断面図、（ｃ）は、調光装置を構成する導電性高分子アクチュエータ素子の説明図。
【図３】導電性高分子アクチュエータ素子の動作を説明するための断面図であり、（ａ）は、導電性高分子アクチュエータ素子が屈曲した状態を示す図、（ｂ）は、屈曲していない状態を示す図、（ｃ）は、逆方向に屈曲した状態を示す図。
【図４】調光装置の開口部が拡大した場合の説明図であり、（ａ）は、光軸方向から見た図、（ｂ）および（ｃ）は、断面図。
【図５】プロジェクタの概略構成を示すブロック図。
【図６】調光装置駆動部の内部構成を表した説明図。
【図７】第２の実施形態に係る調光装置の説明図であり、（ａ）は、光軸方向から見た図、（ｂ）は、断面図、（ｃ）は、調光装置を構成する導電性高分子アクチュエータ素子の説明図。
【図８】調光装置の開口部が拡大した場合の説明図であり、（ａ）は、光軸方向から見た図、（ｂ）および（ｃ）は、断面図。
【図９】第３の実施形態に係る調光装置の説明図であり、（ａ）は、調光装置を上面から見た図、（ｂ）は、調光装置を構成する遮光板を光軸方向から見た図。
【図１０】調光装置駆動部の内部構成を表した説明図。
【図１１】調光装置駆動信号の波形図。
【符号の説明】
【０１１９】
１…プロジェクタ、１０…画像投写部、１６，１７，１８…調光装置、１６ｈ，１７ｈ…開口部、２０…制御部、２１…入力操作部、２２…光源制御部、３１…画像信号入力部、３２…画像処理部、３４…画像解析部、３５，３５ａ…調光装置駆動部、１１１…光源、１４０Ｒ，１４０Ｇ，１４０Ｂ…液晶ライトバルブ、１５０…クロスダイクロイックプリズム、１６１〜１６８，１７１〜１７Ｇ…導電性高分子アクチュエータ素子、１８１，１８２…導電性高分子アクチュエータ、１８１ｐ，１８２ｐ…遮光板、２００…投写レンズ、２１０…ライトバルブ駆動部、３５１…レベル演算部、３５２…ＤＡコンバータ、３５３，３５４…レベルシフタ、３５５…レベル演算部。
【図１】
2009210765.tif 000003
【図２】
2009210765.tif 000004
【図３】
2009210765.tif 000005
【図４】
2009210765.tif 000006
【図５】
2009210765.tif 000007
【図６】
2009210765.tif 000008
【図７】
2009210765.tif 000009
【図８】
2009210765.tif 000010
【図９】
2009210765.tif 000011
【図１０】
2009210765.tif 000012
【図１１】
2009210765.tif 000013